(57)【要約】【課題】壁面への取付作業の作業性を向上することができる、片持ち式腰掛、片持ち式腰掛ユニット、治具、及び、片持ち式腰掛の取付方法を提供すること。【解決手段】座部１０１と、背もたれ１０２と、屈曲部１０３と、を備え、座部１０１は、壁側係合部２０１と互いに水平方向に係合することにより、片持ち式腰掛１００が壁面２００から遠ざかる方向に移動することを妨げる腰掛側係合部１０６と、片持ち式腰掛１００が前後方向に回転運動可能なように軸支される座部被支持部１０４と、を有し、背もたれ１０２は、壁側締結部２０２，２０３と締結されることにより片持ち式腰掛１００を壁面２００に締結するための腰掛側締結部１０８と、着脱自在に支持される背もたれ被支持部１０５と、を有する片持ち式腰掛１００を提供する。【選択図】図１
2014108736.tif 000002
【特許請求の範囲】
【請求項１】
壁面の所定の位置に取付けられる片持ち式腰掛であって、
着席者の腰部を支持する座部と、
着席者の背面を支持する背もたれと、
前記背もたれと前記座部との間の屈曲部と、を備え、
前記座部は、
前記屈曲部近傍に設けられ、前記壁面に設けられた壁側係合部と互いに水平方向に係合することにより、前記片持ち式腰掛が前記壁面から遠ざかる方向に移動することを妨げる腰掛側係合部と、
前記屈曲部から離れて設けられ、前記片持ち式腰掛が前後方向に回転運動可能なように軸支される第１の被支持部と、を有し、
前記背もたれは、
前記屈曲部から離れて設けられ、前記壁面に設けられた壁側締結部と締結されることにより前記片持ち式腰掛を前記壁面に締結するための腰掛側締結部と、
前記屈曲部から離れて設けられ、着脱自在に支持される第２の被支持部と、を有する片持ち式腰掛。
【請求項２】
前記座部は、着席者の腰部と接する座面の反対側の座部下面に、前記座部下面から突出したヒータ等の構造物をさらに有する、請求項１に記載の片持ち式腰掛。
【請求項３】
請求項１又は２に記載の片持ち式腰掛が前記壁面の所定の位置に取付けられた片持ち式腰掛ユニットであって、
前記壁面は、
前記腰掛側係合部に対応する位置に設けられ、前記腰掛側係合部と互いに水平方向に係合することにより、前記片持ち式腰掛が前記壁面から遠ざかる方向に移動することを妨げる壁側係合部と、
前記腰掛側締結部に対応する位置に設けられ、前記腰掛側締結部と締結されることにより、前記壁面に前記片持ち式腰掛を締結するための壁側締結部と、を備え、
前記腰掛側係合部と前記壁側係合部とが互いに水平方向に係合すること、及び、前記腰掛側締結部と前記壁側締結部とが締結されることによって、前記片持ち式腰掛が前記壁面に固定されている、片持ち式腰掛ユニット。
【請求項４】
請求項１又は２に記載の片持ち式腰掛を前記壁面の所定の位置に取付けるための治具であって、
前記片持ち式腰掛が前記座部の前後方向に回転運動可能なように、前記第１の被支持部を軸支する第１の支持部と、
着脱自在に、前記第２の被支持部を支持する第２の支持部と、を備える治具。
【請求項５】
前記第１の支持部の下側で前記第１の支持部と連結されており、前記第１の支持部を前記片持ち式腰掛の前後方向に摺動可能な摺動部をさらに備える、請求項４に記載の治具。
【請求項６】
前記摺動部の摺動範囲に設けられた、前記摺動部が摺動可能な範囲を限定する位置決め部をさらに備える、請求項５に記載の治具。
【請求項７】
前記治具を前記壁面の所定の位置まで移動させる際に用いる車輪をさらに備える、請求項４〜６のいずれか一項に記載の治具。
【請求項８】
請求項１又は２に記載の片持ち式腰掛の取付方法であって、
前記片持ち式腰掛を取付ける前記壁面近傍において、前記片持ち式腰掛をその前方に傾斜するように前記第１の被支持部及び前記第２の被支持部で支持した状態から前記第２の被支持部の支持状態を解除し、前記第１の被支持部で軸支された前記片持ち式腰掛を後方に回転運動させることにより、前記腰掛側係合部と前記腰掛側係合部に対応する位置に設けられた壁側係合部とを互いに水平方向に係合させる係合工程と、
前記腰掛側締結部と前記腰掛側締結部に対応する位置に設けられた壁側締結部とを締結することで前記片持ち式腰掛を前記壁面に固定する固定工程と、を含む片持ち式腰掛の取付方法。
【請求項９】
請求項４に記載の治具を用いた、請求項１又は２に記載の片持ち式腰掛の取付方法であって、
前記片持ち式腰掛をその前方に傾斜させ、前記第１の被支持部を前記第１の支持部で軸支するとともに、前記第２の被支持部を前記第２の支持部で支持し固定する支持工程と、
前記支持工程後、前記片持ち式腰掛を取付ける壁面近傍において、前記第２の支持部による前記第２の被支持部の支持状態を解除する支持状態解除工程と、
前記支持状態解除工程後、前記第１の支持部を支点として、前記片持ち腰掛を後方に回転運動させ、前記腰掛側係合部と壁側係合部とを互いに水平方向に係合させる係合工程と、
前記腰掛側締結部と壁側締結部とを締結することで前記片持ち式腰掛を前記壁面に固定する固定工程と、を含む片持ち式腰掛の取付方法。
【請求項１０】
請求項５に記載の治具を用いた、請求項１又は２に記載の片持ち式腰掛の取付方法であって、
前記片持ち式腰掛をその前方に傾斜させ、前記第１の被支持部を前記第１の支持部で軸支するとともに、前記第２の被支持部を前記第２の支持部で支持し固定する支持工程と、
前記支持工程後、前記片持ち式腰掛を取付ける壁面近傍において、前記第２の支持部による前記第２の被支持部の支持状態を解除する支持状態解除工程と、
前記支持状態解除工程後、前記摺動部を前記壁面から遠ざかる向きである摺動方向に摺動させることによって、前記第１の支持部を支点として、前記片持ち腰掛を前記座部の前後方向に回転運動させ、前記腰掛側係合部と壁側係合部とを互いに水平方向に係合させる係合工程と、
前記腰掛側締結部と壁側締結部とを締結することで前記片持ち式腰掛を前記壁面に固定する固定工程と、を含む片持ち式腰掛の取付方法。
【請求項１１】
請求項６に記載の治具を用いた、請求項１又は２に記載の片持ち式腰掛の取付方法であって、
前記位置決め部を前記摺動部の摺動可能範囲を限定する位置に設置する位置決め工程と、
前記位置決め工程後、前記片持ち式腰掛をその前方に傾斜させ、前記第１の被支持部を前記第１の支持部で軸支するとともに、前記第２の被支持部を前記第２の支持部で支持し固定する支持工程と、
前記支持工程後、前記片持ち式腰掛を取付ける壁面近傍において、前記第２の支持部による前記第２の被支持部の支持状態を解除する支持状態解除工程と、
前記支持状態解除工程後、前記摺動部を前記壁面から遠ざかる向きである摺動方向に、前記摺動部が前記位置決め部に接触し前記摺動方向への摺動が不可となるまで摺動させることで、前記第１の支持部を支点として、前記片持ち腰掛を前記座部の前後方向に回転運動させ、前記腰掛側係合部と壁側係合部とを互いに水平方向に係合させる係合工程と、
前記腰掛側締結部と壁側締結部とを締結することで前記片持ち式腰掛を前記壁面に固定する固定工程と、を含む片持ち式腰掛の取付方法。
【請求項１２】
前記係合工程後であって、前記固定工程前に、前記腰掛側係合部と前記壁側係合部とが互いに水平方向に係合された係合箇所を支点として、前記片持ち腰掛をさらに回転させることで、前記背もたれを前記壁面に接させる背もたれ起こし工程をさらに含む、請求項８〜１０のいずれか一項に記載の片持ち式腰掛の取付方法。
【発明の詳細な説明】
【技術分野】
【０００１】
本発明は、片持ち式腰掛、片持ち式腰掛ユニット、治具、及び、片持ち式腰掛の取付方法に関する。
【背景技術】
【０００２】
鉄道車両用の腰掛として、腰掛のフレームが壁面に固定された片持ち式腰掛がある。片持ち式腰掛は、腰掛の下に脚部を支持するための構造物がなく清掃が容易である等のメリットがあることから、多くの鉄道車両で用いられている。片持ち式腰掛は腰掛のフレームを壁面に固定することが必要となるところ、腰掛の座部及び背もたれは、ボルト等により壁面に締結されることが一般的である。
【０００３】
ところで、片持ち式腰掛では、腰掛下の床には構造物を搭載しないことが前提であるため、ヒータ等の構造物は、座部の下面に吊り下げられるようにして取付けられる。座部の下面へのヒータ等の構造物の取付け作業は、座部及び背もたれをボルト等で壁面に締結した後に行われる。構造物の取付け作業は、車両の床面と腰掛の間の狭いスペースで行う必要があり、作業性が悪く作業者の負担が大きい。仮に、構造物の座部下面への吊り下げを腰掛の壁面への固定前に行うことができれば、上述したような狭いスペースでの作業は不要となるが、構造物を座部の下面に吊り下げた後に座部をボルト等で壁面に締結することはできないため、そのような方法を採用することは難しい。
【０００４】
そこで、ボルトによる締結を省くために、特許文献１，２に記載があるように、座部を壁面に引っ掛けるようにして壁面に固定する方法が知られている。
【先行技術文献】
【特許文献】
【０００５】
【特許文献１】特開２００６−２１３２３７号公報
【特許文献２】特開平０５−１３９３０３号公報
【発明の概要】
【発明が解決しようとする課題】
【０００６】
しかしながら、上述した特許文献１，２に記載された方法により、座部を壁面に引っ掛けるようにして固定する場合であっても、座部の下面に構造物を吊り下げた腰掛は重量が重く、構造物を吊り下げた腰掛を壁面の適切な位置で保持し取付作業を行うことは困難である。
【０００７】
本発明は、上記実情に鑑みてなされたものであり、片持ち式腰掛の壁面への取付作業の作業性を向上することができる、片持ち式腰掛、片持ち式腰掛ユニット、治具、及び、片持ち式腰掛の取付方法を提供することを目的とする。
【課題を解決するための手段】
【０００８】
本発明に係る片持ち式腰掛は、壁面の所定の位置に取付けられる片持ち式腰掛であって、着席者の腰部を支持する座部と、着席者の背面を支持する背もたれと、背もたれと座部との間の屈曲部と、を備え、座部は、屈曲部近傍に設けられ、壁面に設けられた壁側係合部と互いに水平方向に係合することにより、片持ち式腰掛が壁面から遠ざかる方向に移動することを妨げる腰掛側係合部と、屈曲部から離れて設けられ、片持ち式腰掛が前後方向に回転運動可能なように軸支される第１の被支持部と、を有し、背もたれは、屈曲部から離れて設けられ、壁面に設けられた壁側締結部と締結されることにより片持ち式腰掛を壁面に締結するための腰掛側締結部と、屈曲部から離れて設けられ、着脱自在に支持される第２の被支持部と、を有する。
【０００９】
この構成によれば、運搬の際には、片持ち式腰掛をその前方に傾斜するように第１の被支持部を中心にして回転させた状態で第１の被支持部及び第２の被支持部を支持し、壁面への取付けの際には、第２の被支持部を脱着し片持ち式腰掛を第１の被支持部を中心にその後方に回転させ、腰掛側係合部を壁側係合部に引っ掛けるようにして片持ち式腰掛を取付けることができるため、壁面への取付けが簡易になる。すなわち、片持ち式腰掛の壁面への取付作業の作業性が向上する。
【００１０】
また、本発明に係る片持ち式腰掛は、座部は、着席者の腰部と接する座面の反対側の座部下面に、座部下面から突出したヒータ等の構造物をさらに有するものとできる。この構成によれば、座部下面から突出したヒータ等の構造物を、壁面に取付ける前の片持ち式腰掛に予め備え付けることができる。よって、従来のように壁面に片持ち式腰掛を取付けた後に座部下面側の狭い作業スペースにおいて座部下面に構造物を取付ける作業が不要となり、作業性が向上する。
【００１１】
本発明に係る片持ち式腰掛ユニットは、本発明の片持ち式腰掛が壁面の所定の位置に取付けられた片持ち式腰掛ユニットであって、壁面は、腰掛側係合部に対応する位置に設けられ、腰掛側係合部と互いに水平方向に係合することにより、片持ち式腰掛が壁面から遠ざかる方向に移動することを妨げる壁側係合部と、腰掛側締結部に対応する位置に設けられ、腰掛側締結部と締結されることにより、壁面に片持ち式腰掛を締結するための壁側締結部と、を備え、腰掛側係合部と壁側係合部とが互いに水平方向に係合すること、及び、腰掛側締結部と壁側締結部とが締結されることによって、片持ち式腰掛が壁面に固定されている。
【００１２】
この構成によれば、片持ち式腰掛を取付ける壁面が、片持ち式腰掛の腰掛側係合部に対応する構成として壁側係合部を、腰掛側締結部に対応する構成として壁側締結部を、それぞれ有するため、本発明に係る片持ち式腰掛の壁面への取付けを確実に行うことができる。
【００１３】
本発明に係る治具は、本発明の片持ち式腰掛を壁面の所定の位置に取付けるための治具であって、片持ち式腰掛が座部の前後方向に回転運動可能なように、第１の被支持部を軸支する第１の支持部と、着脱自在に、第２の被支持部を支持する第２の支持部と、を備える。
【００１４】
この構成によれば、第１の支持部が第１の被支持部を軸支し、前方に傾斜するように回転された状態で支持された片持ち式腰掛を後方に回転運動させることで、片持ち式腰掛の壁面への取付けを簡易化できる。また、着脱自在な第２の支持部で第２の被支持部を支持することで、片持ち式腰掛の回転運動前には第２の被支持部を固定状態とし、回転運動時には第２の被支持部の固定状態を解除することができ、安定した支持とスムーズな取付けを実現できる。
【００１５】
また、本発明に係る治具は、第１の支持部の下側で第１の支持部と連結されており、第１の支持部を片持ち式腰掛の前後方向に摺動可能な摺動部をさらに備えることが好適である。摺動部を備えることで、片持ち式腰掛の回転運動時に第１の支持部を前後方向に摺動させて、片持ち式腰掛の回転運動を細かく調整することができ、より取付けが簡易になる。
【００１６】
また、本発明に係る治具は、摺動部の摺動範囲に設けられた、摺動部が摺動可能な範囲を限定する位置決め部をさらに備えることが好適である。片持ち式腰掛の大きさや壁面における取付け高さによっては、取付けがスムーズに行える摺動部の摺動位置が異なるところ、位置決め部を備えることで、様々な状況に応じて適正な範囲において摺動部を摺動させることができる。
【００１７】
また、本発明に係る治具は、治具を壁面の所定の位置まで移動させる際に用いる車輪をさらに備えることが好適である。車輪を備えることで、片持ち式腰掛を取付ける壁面の所定位置まで、治具を容易に移動させることができる。
【００１８】
本発明に係る片持ち式腰掛の取付方法は、本発明の片持ち式腰掛の取付方法であって、片持ち式腰掛を取付ける壁面近傍において、片持ち式腰掛をその前方に傾斜するように第１の被支持部及び第２の被支持部で支持した状態から第２の被支持部の支持状態を解除し、第１の被支持部で軸支された片持ち式腰掛を後方に回転運動させることにより、腰掛側係合部と腰掛側係合部に対応する位置に設けられた壁側係合部とを互いに水平方向に係合させる係合工程と、腰掛側締結部と腰掛側締結部に対応する位置に設けられた壁側締結部とを締結することで片持ち式腰掛を壁面に固定する固定工程と、を含む。
【００１９】
本発明に係る片持ち式腰掛の取付方法は、本発明の治具を用いた、本発明の片持ち式腰掛の取付方法であって、片持ち式腰掛をその前方に傾斜させ、第１の被支持部を第１の支持部で軸支するとともに、第２の被支持部を第２の支持部で支持し固定する支持工程と、支持工程後、片持ち式腰掛を取付ける壁面近傍において、第２の支持部による第２の被支持部の支持状態を解除する支持状態解除工程と、支持状態解除工程後、第１の支持部を支点として、片持ち腰掛を後方に回転運動させ、腰掛側係合部と壁側係合部とを互いに水平方向に係合させる係合工程と、腰掛側締結部と壁側締結部とを締結することで片持ち式腰掛を前記壁面に固定する固定工程と、を含む。
【００２０】
本発明に係る片持ち式腰掛の取付方法は、本発明の治具を用いた、本発明の片持ち式腰掛の取付方法であって、片持ち式腰掛をその前方に傾斜させ、第１の被支持部を第１の支持部で軸支するとともに、第２の被支持部を第２の支持部で支持し固定する支持工程と、支持工程後、片持ち式腰掛を取付ける壁面近傍において、第２の支持部による第２の被支持部の支持状態を解除する支持状態解除工程と、支持状態解除工程後、摺動部を壁面から遠ざかる向きである摺動方向に摺動させることによって、第１の支持部を支点として、片持ち腰掛を座部の前後方向に回転運動させ、腰掛側係合部と壁側係合部とを互いに水平方向に係合させる係合工程と、腰掛側締結部と壁側締結部とを締結することで片持ち式腰掛を壁面に固定する固定工程と、を含む。
【００２１】
本発明に係る片持ち式腰掛の取付方法は、本発明の治具を用いた、本発明の片持ち式腰掛の取付方法であって、位置決め部を前記摺動部の摺動可能範囲を限定する位置に設置する位置決め工程と、位置決め工程後、片持ち式腰掛をその前方に傾斜させ、第１の被支持部を前記第１の支持部で軸支するとともに、第２の被支持部を第２の支持部で支持し固定する支持工程と、支持工程後、片持ち式腰掛を取付ける壁面近傍において、第２の支持部による第２の被支持部の支持状態を解除する支持状態解除工程と、支持状態解除工程後、摺動部を壁面から遠ざかる向きである摺動方向に、摺動部が位置決め部に接触し摺動方向への摺動が不可となるまで摺動させることで、第１の支持部を支点として、片持ち腰掛を座部の前後方向に回転運動させ、腰掛側係合部と壁側係合部とを互いに水平方向に係合させる係合工程と、腰掛側締結部と壁側締結部とを締結することで片持ち式腰掛を壁面に固定する固定工程と、を含む。
【００２２】
また、本発明に係る片持ち式腰掛の取付方法は、係合工程後であって、固定工程前に、腰掛側係合部と壁側係合部とが互いに水平方向に係合された係合箇所を支点として、片持ち腰掛をさらに回転させることで、背もたれを壁面に接させる背もたれ起こし工程をさらに含むことが好適である。係合後は係合箇所を支点として片持ち腰掛を回転させることで、片持ち腰掛の回転をより滑らかに行うことができる。
【発明の効果】
【００２３】
本発明によれば、片持ち式腰掛の壁面への取付作業の作業性を向上することができる。
【図面の簡単な説明】
【００２４】
【図１】本実施形態に係る片持ち式腰掛ユニットを示す斜視図である。
【図２】本実施形態に係る片持ち式腰掛を示す側面図である。
【図３】本実施形態に係る壁面を示す側面図である。
【図４】図１の部分Ａの拡大図である。
【図５】本実施形態に係る治具を示す側面図である。
【図６】図５に示す治具の平面図である。
【図７】図５に示す治具の正面図である。
【図８】本実施形態に係る片持ち式腰掛の壁面への取付工程を示す図である。
【図９】本実施形態に係る片持ち式腰掛の壁面への取付工程を示す図である。
【図１０】本実施形態に係る片持ち式腰掛の壁面への取付工程を示す図である。
【図１１】本実施形態に係る片持ち式腰掛の壁面への取付工程を示す図である。
【発明を実施するための形態】
【００２５】
以下、図面を参照して、本発明の実施形態に係る片持ち式腰掛、片持ち式腰掛ユニット、治具、及び、片持ち式腰掛の取付方法について詳細に説明する。
【００２６】
図１に示すように、片持ち式腰掛ユニット１０は、鉄道車両の車室内において、片持ち式腰掛１００が壁面２００の所定の位置に取付けられたものである。以下、片持ち式腰掛１００について図２を、壁面２００について図３を、それぞれ参照して詳細に説明する。
【００２７】
図１及び図２に示すように、片持ち式腰掛１００は、座部１０１と背もたれ１０２と屈曲部１０３とを備えている。片持ち式腰掛１００は例えば３人掛けや７人掛けのものが考えられる。
【００２８】
座部１０１は、着席者の腰部を支持する。背もたれ１０２は、着席者の背面を支持する。屈曲部１０３は、座部１０１と背もたれ１０２との間で座部１０１と背もたれ１０２とを連結するように設けられている。
【００２９】
座部１０１は、座フレーム１０１Ｆと座マット１０１Ｍとを有している。座フレーム１０１Ｆは座部１０１の骨格となる部分であり、アルミニウム材等の材料により形成されている。着席者の座り心地を良くするため、座フレーム１０１Ｆを覆うようにして座マット１０１Ｍが取付けられている。座マット１０１Ｍは、片持ち式腰掛１００を壁面２００に取付けた後に、座フレーム１０１Ｆに取付けられても良い。
【００３０】
座部１０１は、座部被支持部（第１の被支持部）１０４と、腰掛側係合部１０６と、ヒータ取付部１０９と、反射板１１０と、ヒータ１１１とを有している。
【００３１】
座部被支持部１０４は、片持ち式腰掛１００が前後方向に回転運動可能なように軸支されるための部位である。座部被支持部１０４は、座部１０１における屈曲部１０３と離れた位置に設けられ、図２に示す例では、座部１０１の先端側に設けられている。図４に拡大して示すように、座部被支持部１０４は、座部１０１の先端の左右両側からそれぞれ突出した一対の円柱である。座部被支持１０４の材料には、例えばアルミニウム材等を用いることができる。
【００３２】
腰掛側係合部１０６は、コの字型の形状をした係合部材であり、屈曲部１０３近傍の座部１０１下面（裏面）に設けられている。腰掛側係合部１０６の形状は、後述する壁面２００に設けられた壁側係合部２０１と互いに水平方向に係合することにより、図４に拡大して示すように、片持ち式腰掛１００が壁面２００から遠ざかる方向に移動することを妨げる形状である。
【００３３】
ヒータ取付部１０９は、着席者の腰部と接する座面の反対側の座部１０１下面に設けられえた、ヒータ１１１を取付けるために設けられる部材である。反射板１１０は、ヒータ１１１が排出する熱が座部１０１下面から直接着席者に伝わることを防ぐために、熱を下方に反射し、車両の床面に逃がす。ヒータ１１１は、片持ち式腰掛１００が壁面２００に取付けられる前段階で備えつけられる。
【００３４】
背もたれ１０２は、背フレーム１０２Ｆと背マット１０２Ｍとを有している。背フレーム１０２Ｆは背もたれ１０２の骨格となる部分であり、アルミニウム材等の材料により形成されている。背マット１０２Ｍは、背フレーム１０２Ｆを覆うようにして取付けられている。背マット１０２Ｍは、片持ち式腰掛１００のを壁面２００に取付けた後に背フレーム１０２Ｆに形成されても良い。
【００３５】
背もたれ１０２は、背もたれ被支持部（第２の被支持部）１０５と、腰掛側締結部１０７，１０８とを有している。
【００３６】
背もたれ被支持部１０５は、後述する治具により着脱自在に支持される部位である。背もたれ被支持部１０５は、背もたれ１０２における屈曲部１０３から離れた位置に設けられ、図２に示す例では、背もたれ１０２の先端側に設けられている。図４に拡大して示すように、背もたれ被支持部１０５は背もたれ１０２の先端の左右両側からそれぞれ突出した一対の円柱である。背もたれ被支持部１０５の材料には、例えばアルミニウム材等を用いることができる。
【００３７】
腰掛側締結部１０７，１０８は、後述する壁面２００に設けられた壁側締結部２０２，２０３と締結されることにより片持ち式腰掛１００を壁面２００に締結するための部位である。腰掛側締結部１０７、１０８は、それぞれ、壁側締結部と位置合わせを行い、ボルト等で締結される。腰掛側締結部１０７，１０８は、背もたれ１０２の壁面２００と接する面に設けられており、背もたれ１０２における屈曲部１０３から離れてた位置に設けられている。図２に示す例では、腰掛側締結部１０７，１０８は、背もたれ被支持部１０５近傍に設けられている。
【００３８】
図３に示すように、壁面２００は、所定の位置に片持ち式腰掛１００を取付ける。壁面２００は、壁側係合部２０１と、壁側締結部２０２，２０３とを備えている。
【００３９】
図４に拡大して示すように、壁側係合部２０１は、片持ち式腰掛１００の座部１０１に設けられた腰掛側係合部１０６に対応する位置に設けられ、腰掛側係合部１０６と互いに水平方向に係合することにより、片持ち式腰掛１００が壁面２００から遠ざかる方向に移動することを妨げる形状である。壁側係合部２０１は、ボルト等により壁面２００に締結されている。壁側係合部２０１は、片持ち式腰掛１００の重量を支持可能な強度を有する。
【００４０】
壁側締結部２０２，２０３は、腰掛側締結部１０７，１０８に対応する位置に設けられ、腰掛側締結部１０７，１０８と締結されることにより、壁面２００に片持ち式腰掛１００を締結するための部位である。
【００４１】
つぎに、図５〜図７を用いて、片持ち式腰掛１００を壁面２００の所定の位置に取付けるための治具３００について説明する。図５は、本発明に係る治具を示す側面図である。図６は、図５に示す治具の平面図である。図７は、図５に示す治具の正面図である。
【００４２】
図５に示すように、治具３００は、下部支持部３１０と、上部支持部３２０と平板３３１と、車輪３３２とストッパー３３３と、を備えている。治具３００は、片持ち式腰掛１００を壁面２００まで運搬する用途と、片持ち式腰掛１００を壁面２００に取付ける用途で用いられる。運搬時には、治具３００は、片持ち式腰掛１００をその前方に約９０度傾斜させ、座部被支持部１０４を下部支持部３１０で軸支するとともに、背もたれ被支持部１０５を上部支持部３２０で支持する。
【００４３】
下部支持部３１０は、片持ち式腰掛１００が座部１０１の前後方向に回転運動可能なように、座部被支持部１０４を軸支する部位である。下部支持部３１０は、下部支持面３１１と、摺動部３１２と、を有している。
【００４４】
下部支持面３１１は、軸支する座部被支持部１０４が接する面である。図５に示すように、下部支持面３１１は、治具３００の側面から見た場合にＶの字の形状とされている。Ｖの字の形状とすることで、下部支持面３１１への座部被支持部１０４の載置を容易にすると共に、後述する摺動部３１２の摺動によっても、下部支持面３１１から座部被支持部１０４が滑落することを防止している。
【００４５】
摺動部３１２は、下部支持部３１０の下側で下部支持部３１０と連結されており、下部支持部３１０を片持ち式腰掛１００の前後方向に摺動可能とする部材である。摺動部３１２は、球体あるいは円柱体が回転動可能なように支持されていることにより、平板３３１上を摺動する。摺動部３１２は、平板３３１を挟むように上下に設けられており、且つ、図６に示すように、平板３３１の上下それぞれにおいて下部支持部３１０の四隅に設けられている。よって、１つの下部支持部３１０に対して、８つの摺動部３１２が設けられている。８つの摺動部３１２は互いの位置関係を保ちつつ同時に同方向に摺動するものである。
【００４６】
摺動部３１２の摺動と片持ち式腰掛１００の回転について、図６を用いて説明する。摺動部３１２は、片持ち式腰掛１００の前後方向（図６における左右方向）に摺動することによって、片持ち式腰掛１００を回転させるものである。摺動部３１２は、上部支持部３２０に近づくように摺動することで、片持ち式腰掛１００を後ろ方向に回転させることができる。
【００４７】
図６には、位置決め部３４１が示されている。位置決め部３４１は、摺動部３１２の摺動範囲に設けられ、摺動部３１２が摺動可能な範囲を限定する。位置決め部３４１は、位置決め部３４１が設けられた位置まで摺動部３１２を摺動させると、腰掛側係合部１０６と壁側係合部２０１とが係合可能となるように、配置されている。
【００４８】
図５に戻り、上部支持部３２０は、着脱自在に、背もたれ被支持部１０５を支持する。上部支持部３２０は、上部支持面３２１と、把持部３２２と、ロック部３２３と、を有している。
【００４９】
上部支持面３２１は、支持する背もたれ被支持部１０５が接する面である。背もたれ被支持部１０５は、上部支持面３２１に接した状態で、把持部３２２に把持され、ロック部３２３が把持部３２２に連結されることでロック状態となる。ロック状態を解除する場合には、把持部３２２に連結されたロック部３２３の連結を解除すればよい。
【００５０】
なお、図６及び図７に示すように、治具３００は上述した下部支持部３１０、上部支持部３２０等の構成を２つ備えている。これは、片持ち式腰掛１００の両端に対して、それぞれ下部支持部３１０等の構成で支持するためである。
【００５１】
車輪３３２は、治具３００を壁面２００の所定の位置まで移動させる際に用いる。図６に示すように１つの治具に対して、車輪３３２は８個設けられている。ストッパー３３３は、車輪３３２を静止させる。壁面２００に治具を近づけて、片持ち式腰掛１００を壁面２００に取付ける際には、ストッパー３３３により車輪３３２は静止される。
【００５２】
つぎに、図８〜図１１を用いて、治具３００を用いた片持ち式腰掛１００の取付方法について説明する。図８〜図１１は、本発明に係る片持ち式腰掛の壁面への取付工程を示す図である。
【００５３】
まず、図８に示すように、片持ち式腰掛１００を前方に約９０度傾斜させ、座部被支持部１０４を下部支持部３１０で軸支するとともに、背もたれ被支持部１０５を上部支持部３２０で支持し固定する（支持工程）。なお、当該支持工程の前工程として、位置決め部３４１を摺動部３１２の摺動可能範囲を限定する位置（位置決め部３４１が設けられた位置まで摺動部３１２を摺動させると、腰掛側係合部１０６と壁側係合部２０１とが係合可能となる位置）に設置してもよい（位置決め工程）。
【００５４】
支持工程後、治具３００を片持ち式腰掛１００を取付ける壁面２００近くまで移動し、図９に示すように、上部支持部３２０による背もたれ被支持部１０５の支持状態を解除する（支持状態解除工程）。支持状態を解除するとは具体的に、上部支持部３２０のロック部３２３と把持部３２２との連結状態を解除することで、背もたれ被支持部１０５を自由に動かせる状態とした後に、上部支持部３２０により背もたれ被支持部１０５が支持されている状態を解除することをいう。
【００５５】
支持状態解除後、図９に示すように、片持ち式腰掛１００を後ろ方向に回転させる。片持ち式腰掛１００の後ろ方向への回転は、摺動部３１２を壁面２００から遠ざかる向きである摺動方向（摺動部３１２を上部支持部３２０に近づける方向）に摺動させることにより行う。摺動部３１２を摺動方向に摺動させることで、下部支持部３１０を支点として、片持ち式腰掛１００を座部１０１の後ろ方向に回転運動させ、図１０に示すように、腰掛側係合部１０６と壁側係合部２０１とを互いに水平方向に係合させる（係合工程）。
【００５６】
係合工程後は、腰掛側係合部１０６と壁側係合部２０１とが互いに水平方向に係合された係合箇所を支点として、片持ち式腰掛１００をさらに回転させることで、背もたれ１０２を壁面２に接させる（背もたれ起こし工程）。そして、背もたれ起こし工程後、図１１に示すように、腰掛側締結部１０７，１０８と、壁側締結部２０２，２０３とをボルト等で締結することで、片持ち式腰掛１００を壁面２００に固定し（固定工程）、片持ち式腰掛１００の壁面２００への取付けが完了する。
【００５７】
つぎに、本実施形態に係る片持ち式腰掛、片持ち式腰掛ユニット、治具、及び、片持ち式腰掛の取付方法の作用・効果について説明する。
【００５８】
本実施形態に係る片持ち式腰掛１００は、運搬時には、前方に約９０度傾斜するように、座部被支持部１０４を中心にして回転させた状態で、座部被支持部１０４及び背もたれ被支持部１０５を支持することができる。よって、運搬が容易である。また、壁面２００に取付ける際には、背もたれ被支持部１０５を脱着し片持ち式腰掛１００を座部被支持部１０４を中心にその後方に回転させ、腰掛側係合部１０６を壁側係合部２０１に引っ掛けるようにして片持ち式腰掛１００を取付けることができるため、壁面２００への取付けが簡易になる。すなわち、片持ち式腰掛１００の壁面への取付作業の作業性が向上する。
【００５９】
また、本実施形態に係る片持ち式腰掛１００では、腰掛側係合部１０６を壁側係合部２０１に引っ掛けるようにして片持ち式腰掛１００を壁面２００に取付けることができるため、ヒータ等の構造物を壁面に取付ける前の片持ち式腰掛に予め備え付けておいても、片持ち式腰掛１００を壁面２００に取付ける際に問題とならない。よって、壁面２００への取付け前にヒータ等の構造物を座部１０１の下面に予め備えつけておくことができ、従来のように壁面２００に片持ち式腰掛１００を取付けた後に座部１０１下面側の狭い作業スペースにおいて座部１０１下面にヒータ等の構造物を取付ける作業が不要となり、作業性が向上する。
【００６０】
本実施形態に係る片持ち式腰掛ユニット１０は、片持ち式腰掛１００を取付ける壁面２００が、片持ち式腰掛１００の腰掛側係合部１０６に対応する構成として壁側係合部２０１を、腰掛側締結部１０７，１０８に対応する構成として壁側締結部２０２，２０３を、それぞれ有し、腰掛側係合部１０６と壁側係合部２０１とが互いに水平方向に係合すること、及び、腰掛側締結部１０７，１０８と壁側締結部２０２，２０３とが締結されることによって、片持ち式腰掛１００が壁面２００に固定されるため、片持ち式腰掛１００の壁面２００への取付けを確実に行うことができる。
【００６１】
本実施形態に係る治具３００は、片持ち式腰掛１００が座部１０１の前後方向に回転運動可能なように、座部被支持部１０４を軸支する下部支持部３１０と、着脱自在に、背もたれ被支持部１０５を支持する上部支持部３２０と、を備えている。この構成によれば、下部支持部３１０が座部被支持部１０４を軸支し、前方に傾斜するように回転された状態で支持された片持ち式腰掛１００を後方に回転運動させることで、片持ち式腰掛１００の壁面２００への取付けを簡易化できる。また、着脱自在な上部支持部で背もたれ被支持部１０５を支持することで、片持ち式腰掛１００の回転運動前には背もたれ被支持部１０５を固定状態とし、回転運動時には背もたれ被支持部１０５の固定状態を解除することができ、安定した支持とスムーズな取付けを実現できる。
【００６２】
なお、治具３００を用いることによって、ヒータ等の構造物が備わった片持ち式腰掛１００を容易に運搬し取付けることが可能となる。
【００６３】
また、本実施形態に係る治具３００は、下部支持部３１０の下側で下部支持部３１０と連結されており、下部支持部３１０を片持ち式腰掛１００の前後方向に摺動可能な摺動部３１２をさらに備えることで、片持ち式腰掛１００の回転運動時に下部支持部３１０を前後方向に摺動させて、片持ち式腰掛１００の回転運動を細かく調整することができ、より取付けが簡易になる。
【００６４】
また、本実施形態に係る治具３００は、摺動部３１２の摺動範囲に設けられた、摺動部３１２が摺動可能な範囲を限定する位置決め部３４１をさらに備えることで、様々な状況に応じて適正な範囲において摺動部３１２を摺動させることができる。
【００６５】
また、本実施形態に係る治具３００は、治具３００を壁面２００の所定の位置まで移動させる際に用いる車輪３３２をさらに備えることで、片持ち式腰掛１００を取付ける壁面２００の所定位置まで、治具３００を容易に移動させることができる。
【００６６】
また、上述した治具３００を用いて壁面２００に腰掛１００を取付ける取付方法は、上述した片持ち式腰掛１００、片持ち式腰掛ユニット１０、治具３００と同様の効果を奏することができる。
【００６７】
以上、本発明の好適な実施形態について説明したが、本発明は上記実施形態に限定されるものではない。
【００６８】
例えば、座部被支持部１０４は座部１０１の先端に設けられる、としたがこれに限定されるものではなく、治具３００の下部支持部３１０による軸支が可能であれば、座部１０１の中央部分などに設けられても良い。
【００６９】
また、治具３００は、片持ち式腰掛１００の両端を支持する（２か所を支持する）としたが、必ずしもこれに限定されるものではなく、片持ち式腰掛１００の運搬、及び、壁面２００への取付けを行うことができれば、１か所や３か所以上を支持するものであってもよい。
【符号の説明】
【００７０】
１０…腰掛ユニット、１００…片持ち式腰掛、１０１…座部、１０２…背もたれ、１０３…屈曲部、１０４…座部被支持部、１０５…背もたれ被支持部、１０６…腰掛側係合部、１０７，１０８…腰掛側締結部、２００…壁面、２０１…壁側係合部、２０２，２０３…壁側締結部、３００…治具、３１０…下部支持部、３１２…摺動部、３２０…上部支持部、３３２…車輪。
【図１】
2014108736.tif 000003
【図２】
2014108736.tif 000004
【図３】
2014108736.tif 000005
【図４】
2014108736.tif 000006
【図５】
2014108736.tif 000007
【図６】
2014108736.tif 000008
【図７】
2014108736.tif 000009
【図８】
2014108736.tif 000010
【図９】
2014108736.tif 000011
【図１０】
2014108736.tif 000012
【図１１】
2014108736.tif 000013